(57)【要約】【課題】光ディスクのエラー箇所を具体的に提示できるようにする。【解決手段】制御部１１は、文字列開始位置ＣＳと対応付けられたトラック開始位置ＴＳにおいてエンコーダ１５Ｅから得られるカウント値ＣＴをリセットしておき、エラー箇所ＥＰについて、アドレス情報ＡＤを半径位置情報ＰＤに換算し、カウント値ＣＴを基に開始線ＬＳを基準とした角度情報ＰＡを生成すると共に、当該半径位置情報ＰＤ及び当該角度情報ＰＡをエラーレベル情報ＥＬと共に一組のエラー箇所情報ＩＥＰとし、ディスク画像ＤＤ上に文字列Ｃを表す指標画像ＤＣ及びエラー箇所ＥＰの位置を示すエラー箇所画像ＤＥを重畳してエラーマップ画像ＤＥＭを生成し表示させることにより、ユーザにより視認可能な文字列開始位置ＣＳを指標として、エラーが生じた箇所を具体的に提示することができる。【選択図】図７
2009301641.tif 000002
【特許請求の範囲】
【請求項１】
螺旋状又は同心円状にトラックが形成された光ディスクの照射面から光ビームを照射し情報を読み出す読出部と、
上記読出部による上記情報の読出結果を基に、上記光ディスクから上記情報を正常に読み出し得ないエラー箇所を特定するエラー箇所特定部と、
上記エラー箇所について、上記照射面に目視可能に設けられた指標を基準とした上記光ディスクの回転方向に関する回転角度と上記光ディスクの中心からの半径距離とを、当該エラー箇所の位置情報として算出する位置算出部と、
上記光ディスクの上記照射面を示す光ディスク画像上に、上記指標の位置を示す指標画像と上記位置情報に基づいた上記指標に対する上記エラー箇所の相対的な位置を示すエラー箇所画像とを重畳したエラー箇所提示画像を生成する画像生成部と、
上記エラー箇所提示画像を所定の表示部に表示する画像表示部と
を有する光ディスク装置。
【請求項２】
上記光ディスクを回転駆動すると共に、その回転角度を検出する角度検出子が設けられた回転駆動部
をさらに有し、
上記位置算出部は、
上記角度検出子による検出結果を基に上記指標及び上記エラー箇所の回転角度をそれぞれ検出し、上記指標の回転角度に対する上記エラー箇所の相対的な回転角度を上記エラー箇所の回転角度として算出する
請求項１に記載の光ディスク装置。
【請求項３】
上記光ディスクの上記トラックは、
所定記録単位ごとに一意のアドレスが付され、
上記位置算出部は、
上記エラー箇所のアドレスを基に上記半径距離を算出する
請求項２に記載の光ディスク装置。
【請求項４】
上記光ディスクの上記トラックは、
上記アドレスが上記指標と対応付けられた位置から開始され、
上記位置算出部は、
上記読出部により上記アドレスの開始位置から情報を読み込んだときの上記角度検出子による検出結果を基に上記指標の回転角度を算出する
請求項３に記載の光ディスク装置。
【請求項５】
上記読出部は、
上記指標に対し上記光ビームを照射し、
上記位置算出部は、
上記読出部による上記指標の読出結果及び上記角度検出子による検出結果を基に上記指標の回転角度を算出し、当該指標の回転角度に対する上記エラー箇所の相対的な回転角度を上記エラー箇所の回転角度とする
請求項２に記載の光ディスク装置。
【請求項６】
上記エラー箇所特定部は、
上記光ディスクから上記情報を読み出した際に誤り訂正が行われた場合、当該情報が記録されている箇所を上記エラー箇所とする
請求項１に記載の光ディスク装置。
【請求項７】
上記エラー箇所特定部は、
上記誤り訂正のレベルを基に、上記エラー箇所における問題の程度を判別し、
上記画像生成部は、
上記エラー箇所ごとに上記問題の程度に応じて上記エラー箇所画像を相違させる
請求項６に記載の光ディスク装置。
【請求項８】
上記光ディスクは、
上記指標画像が所定領域に予め記録され、
上記画像生成部は、
上記光ディスクから上記指標画像を読み出し上記光ディスク画像上に重畳する
請求項１に記載の光ディスク装置。
【請求項９】
上記光ディスクは、上記指標が所定の文字、文字列又は記号でなり、当該文字、文字列又は記号が符号又は符号列として所定領域に予め記録され、
上記画像生成部は、
上記光ディスクから符号又は符号列を読み出して上記文字、文字列又は記号を表す画像に変換し上記指標画像として上記光ディスク画像上に重畳する
請求項１に記載の光ディスク装置。
【請求項１０】
所定の読出部により、螺旋状又は同心円状にトラックが形成された光ディスクの照射面から光ビームを照射し情報を読み出す読出ステップと、
上記読出部による上記情報の読出結果を基に、上記光ディスクから上記情報を正常に読み出し得ないエラー箇所を特定するエラー箇所特定ステップと、
上記エラー箇所について、上記照射面に目視可能に設けられた指標を基準とした上記光ディスクの回転方向に関する回転角度と上記光ディスクの中心からの半径距離とを、当該エラー箇所の位置情報として算出する位置算出ステップと、
上記光ディスクの上記照射面を示す光ディスク画像上に、上記指標の位置を示す指標画像と上記位置情報に基づいた上記指標に対する上記エラー箇所の相対的な位置を示すエラー箇所画像とを重畳したエラー箇所提示画像を生成する画像生成ステップと、
上記エラー箇所提示画像を所定の表示部に表示する画像表示ステップと
を有するエラー箇所表示方法。
【請求項１１】
情報処理装置に対して、
所定の読出部により、螺旋状又は同心円状にトラックが形成された光ディスクの照射面から光ビームを照射し情報を読み出す読出ステップと、
上記読出部による上記情報の読出結果を基に、上記光ディスクから上記情報を正常に読み出し得ないエラー箇所を特定するエラー箇所特定ステップと、
上記エラー箇所について、上記照射面に目視可能に設けられた指標を基準とした上記光ディスクの回転方向に関する回転角度と上記光ディスクの中心からの半径距離とを、当該エラー箇所の位置情報として算出する位置算出ステップと、
上記光ディスクの上記照射面を示す光ディスク画像上に、上記指標の位置を示す指標画像と上記位置情報に基づいた上記指標に対する上記エラー箇所の相対的な位置を示すエラー箇所画像とを重畳したエラー箇所提示画像を生成する画像生成ステップと、
上記エラー箇所提示画像を所定の表示部に表示する画像表示ステップと
を実行させるエラー箇所表示プログラム。
【発明の詳細な説明】
【技術分野】
【０００１】
本発明は光ディスク再生装置及びエラー箇所表示方法並びにエラー箇所表示プログラム
に関し、例えば光ディスクに記録された映像を再生する光ディスク再生装置に適用して好適なものである。
【背景技術】
【０００２】
従来、光ディスク再生装置においては、ＣＤ（Compact Disc）やＤＶＤ（Digital Versatile Disc）、或いはＢＤ（Blu-ray Disc、登録商標）等の光ディスクに記録された映像データや音楽データ、或いはコンピュータ等で利用される種々のデータを再生し得るようになされたものが広く普及している。
【０００３】
かかる光ディスク再生装置では、一般に、ユーザにより所望の光ディスクに交換された上で、各種データ等の記録又は再生を行うことを前提としている。このため光ディスクは、実際にユーザに取り扱われる際に、その表面に埃等の異物が付着する可能性がある。
【０００４】
このように光ディスクの表面に異物が付着すると、光ディスク再生装置は、当該異物が付着した箇所からデータを正しく読み出せない場合があり、このときエラーを検出することになる（以下、エラーを検出した箇所をエラー箇所と呼ぶ）。
【０００５】
この場合光ディスク再生装置は、ユーザのクリーニング作業等によりエラー箇所から異物が除去されれば、当該エラー箇所からデータを正しく読み出し得る可能性がある。
【０００６】
一方、光ディスクでは、一般に螺旋状にトラックが形成されており、当該トラックに一連のアドレスが付与されている。このため光ディスク再生装置では、エラー箇所をアドレスにより特定することができる。
【０００７】
そこで光ディスク再生装置のなかには、エラー箇所のアドレスを基に、当該アドレスを当該光ディスクの中心からの半径位置に換算し、画像により当該エラー箇所の半径を提示してクリーニング等を促すようになされたものが提案されている（例えば、特許文献１参照）。
【特許文献１】特開２００７−８０３４９公報（第２図）
【発明の開示】
【発明が解決しようとする課題】
【０００８】
しかしながらかかる構成の光ディスク再生装置は、光ディスクにおけるエラー箇所の半径位置をユーザに提示することはできるものの、その具体的な位置、すなわち円周方向に関する角度についてまでは提示できないため、ユーザにクリーニング作業等を行うべき具体的な位置を認識させることができない。
【０００９】
このためユーザは、提示された半径上を目視してエラー箇所を特定する必要がある。しかしながら、例えば異物が極めて小さく視認しづらいような場合、当該ユーザは、目視だけでは当該エラー箇所を特定できない可能性があり、クリーニング作業等を行ったとしても当該光ディスクから異物を除去し得ない可能性がある。
【００１０】
すなわち光ディスク再生装置は、エラー箇所の半径位置を提示しただけでは異物が適切に除去されない可能性があり、結果的にエラー箇所のデータを正しく読み出し得ない、という問題があった。
【００１１】
本発明は以上の点を考慮してなされたもので、光ディスクのエラー箇所を具体的に提示し得る光ディスク装置及びエラー箇所表示方法並びにエラー箇所表示プログラムを提案しようとするものである。
【課題を解決するための手段】
【００１２】
かかる課題を解決するため本発明においては、所定の読出部により、螺旋状又は同心円状にトラックが形成された光ディスクの照射面から光ビームを照射し情報を読み出し、読出部による情報の読出結果を基に、光ディスクから情報を正常に読み出し得ないエラー箇所を特定し、エラー箇所について、照射面に目視可能に設けられた指標を基準とした光ディスクの回転方向に関する回転角度と光ディスクの中心からの半径距離とを、当該エラー箇所の位置情報として算出し、光ディスクの照射面を示す光ディスク画像上に、指標の位置を示す指標画像と位置情報に基づいた指標に対するエラー箇所の相対的な位置を示すエラー箇所画像とを重畳したエラー箇所提示画像を生成し、エラー箇所提示画像を所定の表示部に表示するようにした。
【００１３】
これにより本発明では、エラー箇所について、指標を基準とした回転方向に関する角度と中心からの半径距離とを算出した上で、指標画像及びエラー箇所画像を重畳したエラー箇所提示画像として提示することにより、指標に対するエラー箇所の相対的な位置を示すことができる。
【発明の効果】
【００１４】
本発明によれば、エラー箇所について、指標を基準とした回転方向に関する角度と中心からの半径距離とを算出した上で、指標画像及びエラー箇所画像を重畳したエラー箇所提示画像として提示することにより、指標に対するエラー箇所の相対的な位置を示すことができ、かくして光ディスクのエラー箇所を具体的に提示し得る光ディスク装置及びエラー箇所表示方法並びにエラー箇所表示プログラムを実現できる。
【発明を実施するための最良の形態】
【００１５】
以下、図面について、本発明の一実施の形態を詳述する。
【００１６】
（１）第１の実施の形態
（１−１）光ディスク再生システム及び光ディスク再生装置の構成
図１に示すように、光ディスク再生システム１は、光ディスク１００を再生する光ディスク再生装置２と、映像を表示する表示装置４とが接続ケーブル３を介して接続された構成を有している。
【００１７】
光ディスク１００は、例えばＤＶＤメディアでなり、映像や音声等が符号化されデータとして記録されている。光ディスク再生装置２は、ユーザの操作等に応じて光ディスク１００からデータを読み出し、復号化処理等を行うことにより映像信号ＳＶを再生し、接続ケーブル３を介して当該映像信号ＳＶを表示装置４へ送出する。表示装置４は、映像信号ＳＶに基づいた映像を表示画面４Ｄに表示する。
【００１８】
かくして光ディスク再生システム１は、光ディスク１００に記録されている映像等を再生してユーザに視聴させるようになされている。
【００１９】
光ディスク再生装置２は、図２に示すように、光ディスク１００に対して光ビームを照射し、トラッキング制御及びフォーカス制御を行った上で、映像等の再生を行うようになされている。
【００２０】
光ディスク再生装置２は、制御部１１により全体を統括制御するようになされている。制御部１１は、内部にＣＰＵ（Central Processing Unit）２１を有すると共に、バス２２を介して当該ＣＰＵ２１、ＲＯＭ（Read Only Memory）２３、ＲＡＭ（Random Access Memory）２４及びインタフェース（I/F）２５が互いに接続されている。
【００２１】
制御部１１のＣＰＵ２１は、ＲＯＭ２３から基本プログラムやエラーマップ表示プログラム等の各種プログラムを読み出し、これらをＲＡＭ２４に展開することにより、再生処理等の各種処理を実行し、またインタフェース２５を介して外部機器（図示せず）等との間で各種データ等の通信処理を行い得るようになされている。
【００２２】
例えば制御部１１は、光ディスク１００が装填された状態で、操作部（図示せず）を介したユーザの操作等により再生指示を受け付けると、駆動命令及び再生アドレス情報を駆動部１２へ供給する。
【００２３】
図３に示すように、光ディスク１００の記録層には、螺旋状のトラックＴが形成されると共に、当該トラックＴＲの位置を特定するためのアドレスが適宜割り付けられている。再生アドレス情報は、データを再生すべきトラックＴ（以下、これを目標トラックと呼ぶ）のアドレスを示す情報である。
【００２４】
駆動部１２（図２）は、制御部１１から供給される駆動命令に従ってスピンドルモータ１５を駆動制御することにより、ターンテーブル１５Ａに装着された光ディスク１００を所定の回転速度で回転させる。
【００２５】
またスピンドルモータ１５には、エンコーダ１５Ｅが取り付けられており、ターンテーブル１５Ａの回転角度に応じてパルス状に変化する回転信号ＳＲを生成し、これを制御部１１へ供給する。
【００２６】
エンコーダ１５Ｅは、回転信号ＳＲとして、例えばターンテーブル１５Ａが１回転する間にパルスを３６０個発生させるように、すなわち約１度回転するごとに１パルスを発生させるようになされている。
【００２７】
駆動部１２は、スレッドモータ１６を駆動制御することにより、光ピックアップ１７を移動軸に沿って光ディスク１００の径方向（すなわち内周方向又は外周方向）における再生アドレス情報に対応した位置へ移動させる。
【００２８】
光ピックアップ１７は、内部のレーザダイオード（図示せず）から波長約６６０［ｎｍ］の赤色レーザ光でなる光ビームを所定の強度で出射させ、対物レンズ１８により当該光ビームを集光し、光ディスク１００に照射する。
【００２９】
このとき光ピックアップ１７は、駆動部１２の制御に基づいて対物レンズ１８のフォーカス制御及びトラッキング制御を行うことにより、光ディスク１００の記録層に形成されているトラックＴのうち目標とするトラックＴに光ビームの照射位置を追従させる。
【００３０】
また光ピックアップ１７は、光ディスク１００の記録層により光ビームが反射されてなる反射光ビームを検出し、その光量に応じた検出信号を信号処理部１３へ供給するようになされている。
【００３１】
信号処理部１３は、供給された検出信号に対して所定の復調処理を施すことにより、符号「０」又は「１」でなる符号列に変換する。さらに信号処理部１３は、当該符号列に対し所定の復号化処理を施すと共に必要に応じてエラー訂正処理を行うことにより、映像等を表すデータＤＴを生成し、これを制御部１１へ供給する。
【００３２】
制御部１１は、このデータＤＴを表示処理部１９へ送出する。表示処理部１９は、データＤＴを基に映像信号ＳＶを生成し、これを表示装置４へ送出するようになされている。
【００３３】
ところで光ディスク１００に記録されている符号列は、予め所定単位数ごとに冗長な符号（いわゆるパリティ符号）が付加されている。このパリティ符号は、所定単位数内で所定数以下の符号が誤っている（エラーが生じている）場合に、当該エラーが生じた符号を訂正し得るよう予め選定されたものである。
【００３４】
そこで信号処理部１３は、この冗長な符号を用いて所定のパリティ演算処理等を行うことにより、符号レベルでエラーが含まれているか否か、またエラーが含まれている場合には訂正可能であるか否かを判断する。さらに信号処理部１３は、訂正可能であればエラー訂正処理を行うことにより当該エラーを訂正するようになされている。
【００３５】
その後信号処理部１３は、データＤＴに加えて、そのときデータＤＴを読み出したアドレスを表すアドレス情報ＡＤと、読み出した符号にエラーが含まれているか否か、及びエラー訂正したか否かを示すエラー情報ＥＲとを、制御部１１へ供給するようになされている。
【００３６】
このように光ディスク再生装置２は、光ディスク１００の記録層から得られる反射光ビームを検出し、必要に応じてエラー訂正処理を行った上でデータＤＴを生成し、これを基に映像信号ＳＶを生成するようになされている。
【００３７】
（１−２）光ディスクの構成
ところで光ディスク１００は、図３に示したように、光ビームが照射される照射面１００Ａ側から見て、トラックＴが形成されデータＤＴが記録される記録領域ＡＲ２の内周側に、データＤＴが記録されない非記録領域ＡＲ１が設けられている。
【００３８】
この非記録領域ＡＲ１は、光ディスクの製造時に管理等の目的で文字列や記号等（以下、これを文字列ＣＨと呼ぶ）が記録されるようになされている。文字列ＣＨは、その表す意味合い等については必ずしもユーザが理解できないものの、当該文字列ＣＨの存在及びその文字種類或いは形状等については当該ユーザが視認できるものである。
【００３９】
一方、記録領域ＡＲ２は、その最内周側からトラックＴが螺旋状に形成されている。さらに光ディスク１００は、トラックＴの開始位置（以下、これをトラック開始位置ＴＳと呼ぶ）が文字列Ｃの開始位置（以下、これを文字列開始位置ＣＳと呼ぶ）と対応付けされている。この対応付けは、一般的なＤＶＤメディアの規格に準拠した範囲内ではあるものの、当該規格には定義されていない。
【００４０】
すなわち光ディスク１００では、トラック開始位置ＴＳが、回転中心Ｑ及び文字列開始位置ＣＳの近傍を通る仮想的な開始線ＬＳに合わせて設けられている。
【００４１】
因みに光ディスク１００は、その製造過程において、予め文字列Ｃ及びトラックＴの位置が揃えられた「スタンパ」等が用いられることにより、文字列Ｃ及びトラックＴが位置を揃えた状態で一度に成形されるようになされている。
【００４２】
また記録領域ＡＲ２には、トラック開始位置ＴＳから所定トラック数でなるリードイン領域が設けられ、データの再生等に必要なアドレス管理情報等が格納されている。さらに記録領域ＡＲ２には、リードイン領域に続いて映像データ等が格納されるユーザデータ領域が設けられている。
【００４３】
このように光ディスク１００は、ユーザにより目視可能な文字列Ｃの文字列開始位置ＣＳと対応付けて、トラック開始位置ＴＳからトラックＴが形成されている。以下では、このように文字列Ｃ及びトラック開始位置ＴＳが位置を揃えて形成された光ディスク１００を「マップディスク」とも呼ぶ。
【００４４】
（１−３）エラーマップの表示
ところで光ディスク再生装置２は、光ディスク１００から映像等を再生する際にエラーが生じた場合であっても、上述したように、当該エラーが生じた箇所（以下これをエラー箇所ＥＰと呼ぶ）のクリーニング等が適切に行われることにより、当該エラー箇所ＥＰから正常にデータＤＴを読み出し得る可能性がある。
【００４５】
そこで光ディスク再生装置２は、光ディスク１００を照射面１００Ａ側から見たときの図としてエラー箇所ＥＰの位置を示す「エラーマップ」を生成し、これを表示装置４の表示画面４Ｄに表示させるようになされている。
【００４６】
すなわち制御部１１は、表示制御部１９を制御することにより、図４に示すメニュー画面ＤＭＮを生成し、これを表示装置４の表示画面４Ｄに表示させることにより、エラーマップの表示を行うか否かをユーザに指示させる。
【００４７】
因みにメニュー画面ＤＭＮは、いわゆるＧＵＩ（Graphical User Interface）画面でなり、画面内にボタンＢ１及びＢ２が配置されている。ボタンＢ１は、エラーマップの作成指示を受け付けるためのボタンであり、ボタンＢ２はエラーマップを作成しない指示を受け付けるためのボタンである。
【００４８】
制御部１１は、ユーザの操作によりボタンＢ１の選択操作を受け付けると、ＲＯＭ２３からエラーマップ表示プログラムを読み出して実行することにより、エラーマップ表示処理を開始する。
【００４９】
このとき制御部１１は、図５に示すように、その内部において複数の機能ブロックを構成するようになされている。
【００５０】
まず制御部１１は、駆動部１２を介して光ディスク１００を回転駆動させると共に、光ピックアップ１７を最内周側へ移動させ、トラック開始位置ＴＳ（図３）からデータＤＴに相当する符号を順次読み出していく。
【００５１】
また制御部１１は、スピンドルモータ１５のエンコーダ１５Ｅから回転信号ＳＲを位置算出部３２へ供給する。
【００５２】
位置算出部３２は、回転角度算出部３２Ｂにおいて、トラック開始位置ＴＳのデータＤＴを読み出したときのカウント値を「０」として、入力されるパルスの数を計数してカウント値ＣＴとするようになされている。
【００５３】
また回転角度算出部３２Ｂは、ターンテーブル１５Ａの１回転ぶんに相当する３６０パルスごとにカウント値ＣＴをリセットするようになされている。これによりカウント値ＣＴは、光ディスク１００にそのとき光ビームを照射している箇所の開始線ＬＳからの回転角度を表すことになる。
【００５４】
その後制御部１１は、エラー箇所特定部３１へエラー情報ＥＲ及びアドレス情報ＡＤを供給することにより、光ディスク１００から読み出した符号にエラーが含まれていたか否かをアドレスごとに判定させる。
【００５５】
ここで読み出した符号にエラーが含まれていた場合、エラー箇所特定部３１は、光ディスク１００においてそのとき光ビームを照射していた箇所をエラー箇所ＥＰとして特定すると共に、そのアドレスをエラーアドレス情報ＥＡとし、また訂正できたか否かをエラーレベル情報ＥＬとして、両者を位置算出部３２へ供給する。
【００５６】
位置算出部３２は、エラーアドレス情報ＥＡ及びエラーレベル情報ＥＬを取得した場合、当該エラーアドレス情報ＥＡを半径位置算出部３２Ａへ供給する。半径位置算出部３２Ａは、エラーアドレス情報ＥＡを基に、このとき読み出している箇所の中心点Ｑからの距離を算出し、これを半径位置情報ＰＤとする。
【００５７】
因みに半径位置算出部３２Ａは、例えば所定の関数を用いてアドレスから半径に換算しても良く、或いは所定のテーブル等を用いてアドレスから半径に換算しても良い。
【００５８】
また回転角度算出部３２Ｂは、このときのカウント値ＣＴを基に、エラー箇所ＥＰの角度を表す角度情報ＰＡを生成する。この角度情報ＰＡは、文字列開始位置ＣＳ及び開始線ＬＳに対する相対的な回転角度を表す値となる。
【００５９】
さらに位置算出部３２は、エラーレベル情報ＥＬと、半径位置情報ＰＤと、角度情報ＰＡとを一組のエラー箇所情報ＩＥＰとして記憶部３３に記憶させる。
【００６０】
すなわち位置算出部３２は、図６（Ａ）に示すように、エラー箇所ＥＰについてエラーアドレス情報ＥＡ及びエラーレベル情報ＥＬ並びにカウント値ＣＴを逐次取得する。さらに位置算出部３２は、エラーアドレス情報ＥＡを半径位置情報ＰＤに換算し、カウント値ＣＴを角度情報ＰＡに換算した上で、図６（Ｂ）に示すように一組のエラー箇所情報ＩＥＰ（すなわちエラー箇所情報ＩＥＰ１、ＩＥＰ２及びＩＥＰ３等）として記憶部３３に蓄積していく。
【００６１】
ここで各エラー箇所情報ＩＥＰ（ＩＥＰ１〜ＩＥＰ３）は、図６（Ｃ）に示すように、光ディスク１００の照射面１００Ａ上におけるエラー箇所ＥＰ（ＥＰ１〜ＥＰ３）を、開始線ＬＳを基準とした、すなわち文字列開始位置ＣＳを指標とした具体的な位置として示す情報となる。
【００６２】
制御部１１は、エラー箇所特定部３１により全てのアドレスについてエラーが含まれていたか否かの判別を終了すると、続いて画像生成部３４によりエラーマップを生成させる。
【００６３】
上述した「マップディスク」では、予め文字列Ｃの内容が定められており、当該文字列Ｃは予めＲＯＭ２３（図２）等に記憶されている。指標画像生成部３４Ａは、当該ＲＯＭ２３から文字列Ｃを読み出し、これをディスク画像ＤＤに合わせて円弧状に配列することにより指標画像ＤＣを生成する。
【００６４】
画像生成部３４は、光ディスク１００を表すディスク画像ＤＤを生成し、指標画像生成部３４Ａにより生成された指標画像ＤＣを重畳画像生成部３４Ｃにより当該ディスク画像ＤＤ上に重畳する。
【００６５】
さらに画像生成部３４は、エラー箇所画像生成部３４Ｂによって記憶部３３からエラー箇所情報ＩＥＰを順次読み出し、当該エラー箇所情報ＩＥＰが示す箇所を周囲の表示色と相違させることによりエラー箇所画像ＤＥを生成し、これを重畳画像生成部３４Ｃによりディスク画像ＤＤ上に順次重畳していく。
【００６６】
このときエラー箇所画像ＤＥは、エラー箇所情報ＩＥＰの半径位置情報ＰＤ及び角度情報ＰＡを基に、指標画像ＤＣに対する相対的な位置を算出した上で重畳される。またエラー箇所画像ＤＥは、エラーレベル情報ＥＬに応じて、エラー訂正できた箇所及びエラー訂正できなかった箇所がそれぞれ「軽度のエラー」及び「深刻なエラー」とされ、それぞれの表示色が相違されている。
【００６７】
画像生成部３４は、このようにしてエラーマップ画像ＤＥＭを生成し、表示処理部１９（図２）を介して表示装置４へ送出させる。この結果、表示装置４の表示画面４Ｄには、図７に示すようなエラー箇所提示画像としてのエラーマップ画像ＤＥＭが表示される。また光ディスク再生装置２は、光ディスク１００を排出する。
【００６８】
これに応じてユーザは、光ディスク１００の照射面１００Ａと表示装置４に表示されたエラーマップ画面ＤＥＭとを見比べながら、文字列Ｃを回転方向に関する指標として、エラー箇所ＥＰ、すなわち異物等が付着していると推測される箇所を視認し、所定のクリーニング処理等を行う。
【００６９】
このように光ディスク再生装置２は、文字列Ｃを指標としたエラーマップ画像ＤＥＭを表示することにより、エラー箇所ＥＰをユーザに視認させることができる。
【００７０】
（１−４）エラーマップ表示処理手順
次に、光ディスク再生装置２の制御部１１がエラーマップを表示する際のエラーマップ表示処理手順について説明する。
【００７１】
制御部１１は、メニュー画面ＤＭＮにおいてボタンＢ１の選択操作を受け付けると、ＲＯＭ２３からエラーマップ表示プログラムを読み出して実行することにより図８に示すフローチャートを開始し、ステップＳＰ１へ移る。
【００７２】
ステップＳＰ１において制御部１１は、光ディスク１００が装填されていなければ、図示しないディスクトレイを引き込む等して当該光ディスク１００をターンテーブル１５Ａにマウントし（ローディング処理）、次のステップＳＰ２へ移る。
【００７３】
ステップＳＰ２において制御部１１は、駆動部１２を介してスピンドルモータ１５を回転駆動させ、次のステップＳＰ３へ移る。
【００７４】
ステップＳＰ３において制御部１１は、駆動部１２を介してスレッドモータ１６を制御することにより光ビームの焦点を最内周側、すなわちトラック開始位置ＴＳ付近へ移動させ、次のステップＳＰ４へ移る。
【００７５】
ステップＳＰ４において制御部１１は、光ビームの焦点を所望のトラックに合焦させるトラッキング制御を開始し、トラック開始位置ＴＳ（すなわちアドレス「０」）から順次データを読み出すべく、次のステップＳＰ５へ移る。
【００７６】
ステップＳＰ５において制御部１１は、信号処理部１３から得られるアドレス情報ＡＤを基に、トラック開始位置ＴＳを検出したか否かを判定する。ここで否定結果が得られると、制御部１１は当該トラック開始位置ＴＳを検出するまで当該ステップＳＰ５を繰り返す。
【００７７】
一方ステップＳＰ５において肯定結果が得られると、このことは光ビームの焦点が開始線ＬＳの近傍にあることを表しており、このとき制御部１１は次のステップＳＰ６へ移る。
【００７８】
ステップＳＰ６において制御部１１は、回転角度算出部３２Ｂ（図５）によって回転信号ＳＲを基に生成するカウント値ＣＴを値「０」にリセットすることにより、当該カウント値ＣＴを開始線ＬＳに同期させ、次のステップＳＰ７へ移る。
【００７９】
ステップＳＰ７において制御部１１は、エラー箇所特定部３１（図５）により、エラー情報ＥＲを基にアドレスごとにエラーが含まれていたか否かを判定する。ここで肯定結果が得られると、このことはこのとき光ビームが照射されている箇所がエラー箇所ＥＰであり、異物等が付着している可能性があることを表しており、このとき制御部１１は次のステップＳＰ８へ移る。
【００８０】
ステップＳＰ８において制御部１１は、半径位置算出部３２Ａによりアドレス情報ＥＡを半径位置情報ＰＤに換算し、次のステップＳＰ９へ移る。
【００８１】
ステップＳＰ９において制御部１１は、このときのカウント値ＣＴを基に角度情報ＰＡを生成し、次のステップＳＰ１０へ移る。
【００８２】
ステップＳＰ１０において制御部１１は、半径位置情報ＰＤ、角度情報ＰＡ及びエラーレベル情報ＥＬを一組のエラー箇所情報ＩＥＰとして記憶部３３に記憶させ、次のステップＳＰ１１へ移る。
【００８３】
また、ステップＳＰ７において否定結果が得られると、このことは当該アドレスについてエラーが検出されておらずエラー箇所とする必要がないことを表しており、このとき制御部１１は次のステップＳＰ１１へ移る。
【００８４】
ステップＳＰ１１において制御部１１は、エラー箇所特定部３１により最終アドレスまでエラーの有無について判定し終えたか否かを判定する。ここで否定結果が得られると、このことはさらにエラー箇所ＥＰを検出する可能性があることを表しており、このとき制御部１１は再度ステップＳＰ７へ戻る。
【００８５】
一方、ステップＳＰ１１において肯定結果が得られると、このことは全てのエラー箇所ＥＰを検出し終えたことを表しており、このとき制御部１１は次のステップＳＰ１２へ移る。
【００８６】
ステップＳＰ１２において制御部１１は、画像生成部３４によって記憶部３３からエラー箇所情報ＩＥＰを順次読み出すことによりエラーマップ画像ＤＥＭを生成し、これを表示処理部１９を介して表示装置４へ送出し、次のステップＳＰ１３へ移って一連の処理を終了する。
【００８７】
（１−５）動作及び効果
以上の構成において、第１の実施の形態による光ディスク再生装置２の制御部１１は、光ディスク１００が「マップディスク」であった場合、ユーザの指示に基づき、エラー情報ＥＲ及びアドレス情報ＡＤを基にエラー訂正処理が行われたか否かを判別する。
【００８８】
このとき制御部１１は、読み出した符号にエラーが含まれておりエラー箇所ＥＰであった場合、そのアドレスを半径位置情報ＰＤに換算すると共に、エンコーダ１５Ｅから供給される回転信号ＳＲを基に、開始線ＬＳからの回転角度を表す角度情報ＰＡを生成する。さらに制御部１１は、半径位置情報ＰＤ及び角度情報ＰＡを、訂正できたか否かを表すエラーレベル情報ＥＬと共に一組のエラー箇所情報ＩＥＰとして記憶部３３に逐次記憶させる。
【００８９】
その後制御部１１は、光ディスク１００を表すディスク画像ＤＤ上に、文字列Ｃを表す指標画像ＤＣを重畳させ、さらにエラー箇所情報ＩＥＰが示す箇所を周囲の表示色と相違させたエラー箇所画像ＤＥを重畳することによりエラーマップ画像ＤＥＭを生成して、これを表示装置４に表示させる。
【００９０】
従って光ディスク再生装置２は、ユーザにより視認可能な文字列Ｃの開始位置である文字列開始位置ＣＳを光ディスク１００の回転方向に関する指標として、エラー箇所ＥＰの位置をユーザに提示することができるので、クリーニング処理等を行うべき箇所を具体的に視認させることができる。
【００９１】
このとき光ディスク再生装置２は、文字列開始位置ＣＳに合わせてカウント値ＣＴをリセットした上で、当該カウント値ＣＴを基に得られる角度情報ＰＡをエラー箇所情報ＩＥＰに含めているため、指標である文字列開始位置ＣＳに対するエラー箇所ＥＰの相対的な回転角度を高い精度で提示することができる。
【００９２】
また光ディスク１００は、「マップディスク」である光ディスク１００において文字列開始位置ＣＳがトラック開始位置ＴＳと対応付けられている（図３）。このため光ディスク再生装置２は、エンコーダ１５Ｅからの回転信号ＳＲを基に生成するカウント値ＣＴを当該トラック開始位置ＴＳに合わせてリセットしておくことにより、当該カウント値ＣＴを基に、文字列開始位置ＣＳを基準とした回転方向の相対的な位置を確実に検出することができる。
【００９３】
さらに光ディスク再生装置２は、エラーマップ画像ＤＥＭにおいて、エラーレベル情報ＥＬに応じて「軽度のエラー」及び「深刻なエラー」として表示色を相違させていることにより、ユーザに対しエラーの程度を視覚的に提示することができると共に、重点的にクリーニングすべき箇所を認識させることができる。
【００９４】
この結果、光ディスク再生装置２は、エラー箇所ＥＰの半径位置のみ提示していた従来の光ディスク装置と比較して、当該エラー箇所ＥＰの位置、すなわちクリーニングすべき箇所を詳細に示すことができる。
【００９５】
以上の構成によれば、光ディスク再生装置２の制御部１１は、文字列開始位置ＣＳと対応付けられたトラック開始位置ＴＳにおいてエンコーダ１５Ｅから得られるカウント値ＣＴをリセットしておく。また制御部１１は、エラー箇所ＥＰについて、アドレス情報ＡＤを半径位置情報ＰＤに換算し、カウント値ＣＴを基に開始線ＬＳを基準とした角度情報ＰＡを生成すると共に、当該半径位置情報ＰＤ及び当該角度情報ＰＡをエラーレベル情報ＥＬと共に一組のエラー箇所情報ＩＥＰとして記憶する。その後制御部１１は、光ディスク１００を表すディスク画像ＤＤ上に文字列Ｃを表す指標画像ＤＣ及びエラー箇所ＥＰの位置を示すエラー箇所画像ＤＥを重畳することによりエラーマップ画像ＤＥＭを生成し、表示装置４に表示させる。これにより光ディスク再生装置２は、ユーザにより視認可能な文字列開始位置ＣＳを指標として、エラーが生じた箇所を具体的に提示することができる。
【００９６】
（２）第２の実施の形態
（２−１）コンピュータ装置の構成
第２の実施の形態では、図９に示す情報処理装置としてのコンピュータ装置４０により、上述したエラーマップ画像ＤＥＭを生成すると共に表示するようになされている。
【００９７】
コンピュータ装置４０は、一般的なノートブック型コンピュータ装置と同様に構成されており、筐体部４１内に後述するＣＰＵやハードディスクドライブ等が内蔵されると共に、例えば液晶パネル等でなる表示パネル４３や、キーボード及びタッチパッド等でなる操作部４４が設けられている。
【００９８】
またコンピュータ装置４０は、上述した光ディスク再生装置２と一部類似した構成でなる光ディスクドライブ４２が搭載されており、光ディスク１００に対し映像データ、音声データ或いは各種ファイル等の情報を記録し、また当該光ディスク１００から当該情報を再生し得るようになされている。
【００９９】
コンピュータ装置４０は、図１０に示すように、ＣＰＵ５１を中心に構成されている。ＣＰＵ５１は、バス５２を介してＲＯＭ５３及びＲＡＭ５４と接続されており、当該ＲＯＭ５３及びＲＡＭ５４と共に統括制御部５０を形成している。
【０１００】
またバス５２には、光ディスクドライブ４２、ハードディスクドライブ５５及び操作部４４に加えて、表示処理部５６及び外部と通信するための通信インタフェース（I/F）５７が接続されている。
【０１０１】
操作部４４は、上述したキーボードやタッチパッド等を介してユーザから入力される操作指示を受け付け、当該操作指示に応じた操作信号生成し、これをバス５２経由でＣＰＵ５１へ送出する。
【０１０２】
表示処理部５６は、ＣＰＵ５１からの表示命令等に従い所定の映像信号を生成し、これを当該表示パネル４３へ供給することにより、当該映像信号に応じた表示画面、すなわちＣＰＵ５１からの表示命令等に従った表示画面を当該表示パネル４３に表示させる。
【０１０３】
通信インタフェース５７は、例えばＩＥＥＥ（Institute of Electrical and Electronics Engineers）８０２．３／ｕ／ａｂ等の有線ＬＡＮ（Local Area Network）、ＩＥＥＥ８０２．１１ａ／ｂ／ｇ／ｎ等の無線ＬＡＮ、ＵＳＢ（Universal Serial Bus）やＩＥＥＥ１３９４等の有線通信といった種々の通信方式及び通信規格に準拠したものが考えられる。また通信相手としては、他のコンピュータ装置、半導体メモリやハードディスクドライブ等の各種記憶媒体、或いはインターネット等の各種ネットワークが考えられる。
【０１０４】
ＣＰＵ５１は、ＲＯＭ５３やハードディスクドライブ５５等から基本プログラム、ＯＳ（Operating System）やエラーマップ表示プログラム等の各種プログラムを読み出し、これらをＲＡＭ５４に展開する等して、当該ＯＳの起動やエラーマップ表示処理等の各種処理を実行するようになされている。
【０１０５】
（２−２）光ディスクドライブの構成
光ディスクドライブ４２は、図１１に示すように、第１の実施の形態における光ディスク装置２と一部類似した構成を有しており、制御部１１に代えて制御部６１が設けられ、表示処理部１９が省略されている点が異なっているものの、他は同様に構成されている。
【０１０６】
制御部６１は、制御部１１と同様にＣＰＵ、ＲＯＭ、ＲＡＭ及びインタフェース（いずれも図示せず）を有しているものの、当該制御部１１とは一部異なった動作を行うようになされている。
【０１０７】
すなわち制御部６１は、ＣＰＵ５１（図１０）の制御に従い、制御部１１と同様に、指定されたアドレスのデータＤＴを光ピックアップ１７等を介して読み出させる。さらに制御部６１は、読み出したデータＤＴ、エラーレベル情報ＥＬ、半径位置情報ＰＤ及び角度情報ＰＡをバス５２経由でＣＰＵ５１へ送出する。
【０１０８】
このように光ディスクドライブ４２は、第１の実施の形態における光ディスク再生装置２と比較して、光ディスク１００から情報（すなわちデータＤＴ）を読み出す点については同様に動作するものの、これに加えて、読み出したデータＤＴ、エラーレベル情報ＥＬ、半径位置情報ＰＤ及び角度情報ＰＡをＣＰＵ５１へ送出する点が異なっている。
【０１０９】
（２−３）エラーマップの表示
実際上ＣＰＵ５１は、ユーザの操作指示に従い、光ディスク１００から情報を再生する再生指示を受け付けると、所定の光ディスク再生プログラムを実行することにより当該光ディスク１００から再生指示に応じたデータを読み出すようになされている。
【０１１０】
ここでＣＰＵ５１は、光ディスク１００から情報を再生する際にエラーが生じた場合、メニュー画面ＤＭＮ（図４）を表示パネル４３に表示させ、エラーマップの作成及び表示を行うか否かをユーザに指示させる。
【０１１１】
ＣＰＵ５１は、ボタンＢ１が操作されたことを受け付けると、第１の実施の形態における制御部１１と同様に、内部に各機能ブロック（図５）を構成すると共に、エラーマップ表示処理手順ＲＴ１（図８）に従った一連の処理を行う。
【０１１２】
すなわちＣＰＵ５１は、回転角度算出部３２Ｂ（図５）により、文字列開始位置ＣＳと対応付けられたトラック開始位置ＴＳを検出したときに、カウント値ＣＴを値「０」にリセットしておく。
【０１１３】
ＣＰＵ５１は、エラー箇所特定部３１によりエラー箇所ＥＰであることを特定した場合、半径位置算出部３２Ａによりそのアドレスを半径位置情報ＰＤに換算する。またＣＰＵ５１は、回転角度算出部３２Ｂにより、エンコーダ１５Ｅから供給される回転信号ＳＲを基にカウント値ＣＴを生成した上で、開始線ＬＳからの回転角度を表す角度情報ＰＡを生成する。
【０１１４】
さらにＣＰＵ５１は、半径位置情報ＰＤ及び角度情報ＰＡを、エラーレベル情報ＥＬと共に一組のエラー箇所情報ＩＥＰとして記憶部３３に逐次記憶させる。
【０１１５】
その後ＣＰＵ５１は、画像生成部３４によって記憶部３３からエラー箇所情報ＩＥＰを順次読み出すことによりエラーマップ画像ＤＥＭ（図７）を生成し、これをバス５２経由で表示処理部５６へ送出する。
【０１１６】
表示処理部５６は、エラーマップ画像ＤＥＭを所定の映像信号に変換して表示パネル４３へ供給することにより、当該表示パネル４３に当該エラーマップ画像ＤＥＭを表示させる。
【０１１７】
これによりコンピュータ装置４０は、第１の実施の形態における光ディスク再生装置２と同様に、ユーザにエラーマップ画像ＤＥＭを参照させることができ、クリーニング処理等を行うべき箇所を具体的に提示することができる。
【０１１８】
（２−４）動作及び効果
以上の構成において、第２の実施の形態によるコンピュータ装置４０は、ＣＰＵ５１によって第１の実施の形態における制御部１１と同様のエラーマップ生成処理を行うことによりエラーマップ画像ＤＥＭを生成し、これを表示パネル４３に表示させる。
【０１１９】
従ってコンピュータ装置４０は、光ディスク再生装置２と同様、ユーザにより視認可能な文字列開始位置ＣＳを光ディスク１００の回転方向に関する指標として、エラー箇所ＥＰの位置をユーザに提示することができるので、クリーニング処理等を行うべき箇所を具体的に視認させることができる。
【０１２０】
その他、コンピュータ装置４０は、第１の実施の形態における光ディスク装置２と同様の作用効果を奏し得る。
【０１２１】
以上の構成によれば、コンピュータ装置４０のＣＰＵ５１は、第１の実施の形態と同様、エラー箇所ＥＰについて、アドレスを換算した半径位置情報ＰＤと、文字列開始位置ＣＳに対する相対的な回転角度を表す角度情報ＰＡとを、エラーレベル情報ＥＬと共に一組のエラー箇所情報ＩＥＰとして記憶する。その後ＣＰＵ５１は、光ディスク１００を表すディスク画像ＤＤ上に指標画像ＤＣ及びエラー箇所情報ＩＥＰが示す箇所を示すエラー箇所画像ＤＥを重畳することによりエラーマップ画像ＤＥＭを生成し、表示パネル４３に表示させる。これによりコンピュータ装置４０は、第１の実施の形態と同様、ユーザにより視認可能な文字列開始位置ＣＳを指標として、エラー箇所ＥＰをユーザに具体的に提示することができる。
【０１２２】
（３）他の実施の形態
なお上述した実施の形態においては、光ディスク１００の回転方向に関する指標として、光ディスク１００に予め設けられた文字列Ｃの文字列開始位置ＣＳを用いるようにした場合について述べたが、本発明はこれに限らない。例えば図１２に示すように、所定のバーコードＢＣを指標とし、当該バーコードＢＣの開始位置や終了位置に合わせて開始線ＬＳを規定し、当該開始線ＬＳに合わせてトラックＴが開始されていれば良い。
【０１２３】
また指標としては、上述した文字列ＣやバーコードＢＣに限らず、記号や模様であっても良く、要はユーザが光ディスク１００の照射面１００Ａ側から見て回転方向に関する位置（すなわち回転角度）の基準として視認し得るものであれば良い。
【０１２４】
さらに指標は、トラックＴと同時に形成されるものに限らず、当該トラックＴの形成とは別の工程、例えば印刷工程等により、当該トラックＴのトラック開始位置ＴＳと対応付けて光ディスク１００に設けられても良い。また指標の形成箇所としては、記録領域ＡＲ２（図３）の内周側に限らず、当該記録領域ＡＲ２の外周側であっても良く、要はデータの記録及び再生を阻害せず、且つユーザにより照射面１００Ａ側から視認され得る箇所であれば良い。
【０１２５】
また指標は、トラックＴのトラック開始位置ＴＳと対応付ける以外にも、例えば記録領域ＡＲ２における最初のアドレス等、所定のアドレスと対応付けられていても良い。
【０１２６】
さらに上述した実施の形態においては、光ディスク１００として、トラック開始位置ＴＳ（図３）及び文字列開始位置ＣＳの位置が揃えられた「マップディスク」を用いてエラーマップ画像ＤＥＭの生成及び表示を行うようにした場合について述べたが、本発明はこれに限らず、他の光ディスクを用いるようにしても良い。
【０１２７】
例えば光ピックアップ１７は、光ディスクの非記録領域ＡＲ１に対して光ビームを照射し、その反射光を検出する。制御部１１は、このときの検出結果を基に、当該非記録領域ＡＲ１に形成されている文字、記号あるいはバーコード等の画像イメージを生成すると共に、当該画像イメージの回転角度をカウント値ＣＴと対応付けておく。また制御部１１は、上述した実施の形態と同様にエラー箇所情報ＩＥＰを順次記憶する。
【０１２８】
その後制御部１１は、エラーマップ画像ＤＥＭを生成する際、カウント値ＣＴにより表される回転角度を基準として、画像イメージをそのまま用いた指標画像ＤＣ及びエラー箇所画像ＤＥをディスク画像ＤＤに重畳する。これにより制御部１１は、画像イメージを指標として、上述した実施の形態と同様に、当該画像イメージに対するエラー箇所ＥＰの相対的な回転角度をユーザに視認させることができる。
【０１２９】
すなわちこの場合、指標となり得る画像イメージを光ピックアップ１７を用いて読み取ると共にカウント値ＣＴと対応付けておくことにより、非記録領域ＡＲ１に未知の文字、記号あるいはバーコード等が形成されていたとしても、当該イメージ画像を指標画像ＤＣとしてエラーマップ画像ＤＥＭ上に表示することができる。
【０１３０】
このように本発明では、エンコーダ等によって光ディスクの回転角度を検出すると共に、ユーザが視認し得る指標の回転角度と、エラー箇所ＥＰの回転角度との相対的な角度を算出することができれば、エラーマップ画像ＤＥＭを生成することができる。
【０１３１】
さらに上述した実施の形態においては、光ディスク１００のトラックに連続的に付されたアドレスを基にエラー箇所ＥＰの半径位置情報ＰＤを算出するようにした場合について述べたが、本発明はこれに限らない。
【０１３２】
例えばセクタ番号やクラスタ番号等、光ディスク１００に所定のデータ単位ごとに種々の管理用番号が付されている場合に、当該管理用番号を基に半径位置情報ＰＤを算出するようにしても良い。さらには、スレッドモータ１６（図２）により光ピックアップ１７が移動された際の位置を検出できる場合に、当該検出した位置を元に半径位置情報ＰＤを算出するようにしても良い。また光ディスク１００のトラックは螺旋状に限らず、同心円状であっても良い。
【０１３３】
さらに上述した実施の形態においては、エンコーダ１５Ｅから１回転で３６０パルスを発生するようにした場合について述べたが、本発明はこれに限らない。例えば、１回転で１８０パルスや６０パルスなど、回転方向に関してある程度の精度で相対的な角度を算出し得るような数のパルスを生成しても良い。
【０１３４】
さらに上述した実施の形態においては、スピンドルモータ１５に設けられたエンコーダ１５Ｅから回転信号ＳＲを生成し、当該回転信号ＳＲが表すパルスからカウント値ＣＴを生成することによって光ディスク１００の回転角度を検出するようにした場合について述べたが、本発明はこれに限らない。
【０１３５】
例えばターンテーブル１５Ａに周期的に模様や突起等を設けておき、当該模様や突起等に所定の検出光を照射した際に得られる反射光を基に回転角度を検出する等、種々の手段を用いて光ディスク１００の回転角度を検出するようにしても良い。
【０１３６】
さらに上述した実施の形態においては、エラー箇所ＥＰについて、エラーレベル情報ＥＬに応じてエラー訂正できた箇所及びエラー訂正できなかった箇所をそれぞれ「軽度のエラー」及び「深刻なエラー」とし、それぞれの表示色を相違させたエラー箇所画像ＤＥを生成するようにした場合について述べたが、本発明はこれに限らない。
【０１３７】
例えば、エラーレベル情報ＥＬに関わらずエラー箇所ＥＰを一様な表示色としても良く、また所定範囲内に所定数以上のエラー箇所ＥＰが集中している場合に当該箇所の表示色を他と相違させる等、種々の手法によりエラー表示画像ＤＥを生成するようにしても良い。
【０１３８】
さらに上述した実施の形態においては、指標画像ＤＣを生成する際、文字列ＣをＲＯＭ２３から読み出し、これを円弧状に配列するようにした場合について述べたが、本発明はこれに限らない。例えば、ＲＯＭ２３に指標画像ＤＣを予め記憶させておいても良く、あるいは光ディスク１００の記録領域ＡＲ２（図３）におけるリードイン領域等に当該指標画像ＤＣをデータとして記録しておき、当該指標画像ＤＥを光ディスク１００から読み出してディスク画像ＤＤ上に重畳する等しても良い。
【０１３９】
さらに上述した実施の形態においては、エラーマップ表示処理手順ＲＴ１（図８）において、ステップＳＰ８において半径位置情報ＰＤを算出した後にステップＳＰ９において角度情報ＰＡを算出する用にした場合について述べたが、本発明はこれに限らない。例えば、角度情報ＰＡを算出した後に半径位置情報ＰＤを算出するようにしても良い。
【０１４０】
さらに上述した第１の実施の形態においては、光ディスク再生装置２がエラーマップ画像ＤＥＭを外部の表示装置４へ送出し表示させるようにした場合について述べたが、本発明はこれに限らない。
【０１４１】
例えばポータブルＤＶＤプレーヤのように、液晶パネル等でなる表示部が光ディスク再生装置と一体に設けられている場合、当該表示部にエラーマップ画像ＤＥＭを表示させるようにしても良い。
【０１４２】
さらに上述した実施の形態においては、メニュー画面ＤＭＮ（図４）においてボタンＢ１が選択操作されてからエラーマップ表示処理を開始するようにした場合について述べたが、本発明はこれに限らない。
【０１４３】
例えば制御部１１は、光ディスク１００から映像等を再生する際に、エラー箇所情報ＩＥＰを記憶部３３に随時記憶しておき、再生を中断させてしまう程度のエラーが発生した場合等に、既に記憶しているエラー箇所情報ＩＥＰを基にエラーマップ画像ＤＥＭを生成し表示する等しても良い。
【０１４４】
さらに上述した実施の形態においては、光ディスク１００の最終アドレスまでエラーの有無を検出した後にエラーマップ画像ＤＥＭを表示するようにした場合について述べたが、本発明はこれに限らない。
【０１４５】
例えば、データが記録されている範囲のアドレスが判明している場合に、当該範囲のアドレスについてエラーの有無を検出し終えた時点でエラーマップ画像ＤＥＭを生成し表示するようにしても良い。
【０１４６】
さらに上述した実施の形態においては、全てのアドレスについてエラーの有無を検出するようにした場合について述べたが、本発明はこれに限らない。例えば、奇数アドレスのみや４アドレスごと等、所定アドレスごとに間欠的にエラーの有無を検出するようにしても良い。
【０１４７】
さらに上述した第１の実施の形態においては、光ディスク１００の再生のみを行う光ディスク再生装置２においてエラーマップ表示処理を行うようにした場合について述べたが、本発明はこれに限らず、例えば光ディスク１００に情報を記録し得る光ディスク記録装置において、当該エラーマップ表示処理を行うようにしても良い。
【０１４８】
この場合、例えば光ディスク１００にデータを記録する直前に、当該光ディスク１００の未記録箇所におけるエラーマップを表示してユーザにクリーニング処理を行わせることにより、異物の付着等によりデータの記録を失敗する危険性を低減することができる。
【０１４９】
さらに上述した実施の形態においては、光ディスク１００がＤＶＤ方式に準拠したものである場合について述べたが、本発明はこれに限らず、当該光ディスク１００がＣＤ方式やＢＤ方式等の他の方式に準拠したものであっても良い。またこの場合、読み出し専用型（いわゆるＲＯＭ型）、追記型（いわゆるＲ(Recordable)型）、或いは書き換え型（いわゆるＲＷ(ReWritable)型又はＲＥ型）のいずれであっても良い。またデータを記録する記録層は１層に限らず、２層以上であっても良い。
【０１５０】
さらには、光ディスク１００に代えて、光磁気ディスクや磁気ディスク等、光学的、磁気的又はその両方、或いは他の手法により情報が記録され、また再生される１枚のディスク状の記録媒体を用いるようにしても良い。この場合、光ディスク再生装置２の光ピックアップ１７に代えて、当該ディスク状の記録媒体に対応した情報書込・読出機能を有する部品が設けられていれば良い。
【０１５１】
さらに上述した第２の実施の形態においては、エラーマップ表示プログラム等の各種プログラムをハードディスクドライブ５５に格納しておくようにした場合について述べたが、本発明はこれに限らない。例えば、各種プログラムを所定のＤＶＤ−ＲＯＭメディアから読み出し不揮発性のフラッシュメモリ（図示せず）等にインストールして実行し、或いは図示しないメモリースティック（ソニー株式会社の登録商標）等のような着脱自在の記憶媒体から読み出して直接実行する等しても良い。さらには、通信インタフェース５７を介し他の機器から各種プログラムを取得して実行するようにしても良い。第１の実施の形態についても同様である。
【０１５２】
さらに上述した実施の形態においては、読出部としての光ピックアップ１７と、エラー箇所特定部としてのエラー箇所特定部３１と、位置算出部としての位置算出部３２と、画像生成部としての画像生成部３４と、画像表示部としての表示処理部１９とによって光ディスク装置としての光ディスク再生装置２を構成する場合について述べた。しかしながら本発明はこれに限らず、その他種々の回路構成でなる読出部と、エラー箇所特定部と、位置算出部と、画像生成部と、画像表示部とによって光ディスク装置を構成するようにしても良い。
【産業上の利用可能性】
【０１５３】
本発明は、種々の光ディスクを再生する光ディスク装置でも利用できる。
【図面の簡単な説明】
【０１５４】
【図１】光ディスク再生システムの全体構成を示す略線図である。
【図２】光ディスク再生装置の構成を示す略線的ブロック図である。
【図３】光ディスクの構成を示す略線図である。
【図４】メニュー画面の構成を示す略線図である。
【図５】エラーマップ作成時における制御部の機能ブロックを示す略線的ブロック図である。
【図６】半径位置及び回転角度の算出の説明に供する略線図である。
【図７】エラーマップの表示の説明に供する略線図である。
【図８】エラーマップ表示処理手順を示すフローチャートである。
【図９】コンピュータ装置の外観構成を示す略線図である。
【図１０】コンピュータ装置の内部構成を示す略線的ブロック図である。
【図１１】光ディスクドライブの構成を示す略線図である。
【図１２】他の実施の形態による光ディスクの構成を示す略線図である。
【符号の説明】
【０１５５】
１……光ディスク再生システム、２……光ディスク再生装置、４……表示装置、４Ｄ……表示画面、１１……制御部、１２……駆動部、１３……信号処理部、１５……スピンドルモータ、１５Ａ……ターンテーブル１５Ａ、１５Ｅ……エンコーダ、１７……光ピックアップ、１９……表示処理部、２１……ＣＰＵ、２３……ＲＯＭ、２４……ＲＡＭ、
３１……エラー箇所特定部、３２……位置算出部、３２Ａ……半径位置算出部、３２Ｂ……回転角度算出部、３３……記憶部、３４……画像生成部、３４Ａ……指標画像生成部、３４Ｂ……エラー箇所画像生成部、３４Ｃ……重畳画像生成部、４０……コンピュータ装置、４２……光ディスクドライブ、４３……表示パネル、５０……統括制御部、５１……ＣＰＵ、５３……ＲＯＭ、５４……ＲＡＭ、５５……ハードディスクドライブ、５６……表示処理部、１００……光ディスク、１００Ａ……照射面、ＡＲ１……非記録領域、ＡＲ２……記録領域、Ｃ……文字列、ＣＳ……文字列開始位置、Ｔ……トラック、ＴＳ……トラック開始位置、ＬＳ……開始線、ＥＰ……エラー箇所、ＡＤ……アドレス情報、ＥＲ……エラー情報、ＳＲ……回転信号、ＣＴ……カウンタ値、ＥＡ……エラーアドレス情報、ＥＬ……エラーレベル情報、ＰＤ……半径位置情報、ＰＡ……角度情報、ＩＥＰ……エラー箇所情報、ＤＭＮ……メニュー画面、ＤＥＭ……エラーマップ画面、ＤＤ……ディスク画像、ＤＣ……指標画像、ＤＥ……エラー箇所画像。
【図１】
2009301641.tif 000003
【図２】
2009301641.tif 000004
【図３】
2009301641.tif 000005
【図４】
2009301641.tif 000006
【図５】
2009301641.tif 000007
【図６】
2009301641.tif 000008
【図７】
2009301641.tif 000009
【図８】
2009301641.tif 000010
【図９】
2009301641.tif 000011
【図１０】
2009301641.tif 000012
【図１１】
2009301641.tif 000013
【図１２】
2009301641.tif 000014